(57)【特許請求の範囲】
【請求項１】
容器口部のねじ部に螺着された閉塞蓋を開栓し、開栓した容器口部にチューブを接続するための接続具を取り付ける構造で、該接続具は、前記容器口部のねじ部に螺合される接続キャップ部と、該接続キャップ部の上端から突出する前記チューブが差し込まれる差し込み筒部とを備えた容器口部の接続具取付構造において、
前記容器口部と接続キャップ部の間に、所定の締付け位置で接続具の締付け操作に節度感を付与するクリック機構を設け、
前記接続キャップ部は、前記容器口部のねじ部に螺合される雌ねじが設けられた円筒部と、該円筒部の下端から下方に延びるスカート部とを有し、
前記クリック機構は、前記容器口部に設けられる凸部と、前記接続キャップ部のスカート部の下端部に設けられ前記凸部に係合する係合部によって構成され、
前記クリック機構によって節度感を付与する位置は、接続具と容器口部間をシールするシール部が適正なシール状態となる位置であることを特徴とする容器口部の接続具取付構造。
【請求項２】
係合部は接続キャップ部のスカート部の下端部内周に設けられる溝によって構成される請求項１に記載の容器口部の接続具取付構造。
【請求項３】
係合部は接続キャップ部のスカート部の下端部に設けられる切り欠きによって構成される請求項１に記載の容器口部の接続具取付構造。
【請求項４】
凸部は容器口部に設けられたフランジ部上面に設けられる請求項１乃至３のいずれかの項に記載の容器口部の接続具取付構造。
【請求項５】
凸部は容器口部の外周面に設けられる請求項１に記載の容器口部の接続具取付構造。
【請求項６】
容器口部を閉塞する閉塞蓋は不正開封防止用のバンドを備えた構成で、容器口部外周にはバンドの回転を規制するバンド回転規制突起が設けられ、該バンド回転規制突起を前記クリック機構の凸部として利用する請求項５に記載の容器口部の接続具取付構造。
【請求項７】
容器口部は、袋状の容器本体に対して溶着されるスパウトによって構成される請求項１
乃至５のいずれかの項に記載の容器口部の接続具取付構造。
【発明の詳細な説明】
【技術分野】
【０００１】
本発明は、たとえば容器本体内の内容物を取り出すチューブを容器口部に接続するための接続具のように、開栓された容器口部に取り付けられる接続具の取付構造に関し、特にねじ込み式の接続具取付構造に関する。
【背景技術】
【０００２】
従来から流動食・経腸栄養剤・その他食品類が入ったパウチ容器の容器口部を構成するスパウトと、人体につながるチューブの接続具として、ねじ込み式のアダプタが多用されている。
すなわち、内容物が収納されたパウチ容器は、その容器口部を構成するスパウトに螺着されるねじキャップによって密閉されており、使用する際に、ねじキャップを開栓し、開栓した容器口部にアダプタを取付け、このアダプタを介してチューブを接続するようになっている（たとえば、特許文献１参照）。
【０００３】
このようなチューブの接続作業は、病院では看護師によって行われているが、締付ける際の目安等はなく、締付け力は看護師の勘に頼っているのが現状である。看護師は慎重に締付け作業を行っているものの、毎日多量の接続作業をこなすため、なかにはアダプタの締付けが弱く、締付け力が不充分であったり、また、締付け過ぎによってアダプタやスパウトが変形したり、場合によってはパウチ容器を加圧することがあり、送液時に漏洩を起こすおそれがある。
【特許文献１】特開平１０−５７４５１号公報
【発明の開示】
【発明が解決しようとする課題】
【０００４】
本発明は上記した従来技術の問題点を解決するためになされたもので、その目的とするところは、簡単な構成で接続具の適正な締付け位置を作業者が感覚的にわかるようにした容器口部の接続具取付構造を提供することにある。
【課題を解決するための手段】
【０００５】
上記目的を達成するために、請求項１に係る発明は、容器口部のねじ部に螺着された閉塞蓋を開栓し、開栓した容器口部にチューブを接続するための接続具を取り付ける構造で、該接続具は、前記容器口部のねじ部に螺合される接続キャップ部と、該接続キャップ部の上端から突出する前記チューブが差し込まれる差し込み筒部とを備えた容器口部の接続具取付構造において、
前記容器口部と接続キャップ部の間に、所定の締付け位置で接続具の締付け操作に節度感を付与するクリック機構を設け、
前記接続キャップ部は、前記容器口部のねじ部に螺合される雌ねじが設けられた円筒部と、該円筒部の下端から下方に延びるスカート部とを有し、
前記クリック機構は、前記容器口部に設けられる凸部と、前記接続キャップ部のスカート部の下端部に設けられ前記凸部に係合する係合部によって構成され、
前記クリック機構によって節度感を付与する位置は、接続具と容器口部間をシールするシール部が適正なシール状態となる位置であることを特徴とする。
【０００６】
請求項２に係る発明は、係合部は接続キャップ部のスカート部の下端部内周に設けられる溝によって構成される。
【０００７】
請求項３に係る発明は、係合部は接続キャップ部のスカート部の下端部に設けられる切り欠きによって構成される。
請求項４に係る発明は、凸部は容器口部に設けられたフランジ部上面に設けられる。
【０００８】
請求項５に係る発明は、凸部は容器口部の外周面に設けられることを特徴とする。
請求項６に係る発明は、容器口部を閉塞する閉塞蓋は不正開封防止用のバンドを備えた構成で、容器口部外周にはバンドの回転を規制するバンド回転規制突起が設けられ、該バンド回転規制突起を前記クリック機構の凸部として利用することを特徴とする。
【０００９】
請求項７に係る発明は、容器口部は、袋状の容器本体に対して溶着されるスパウトによって構成されることを特徴とする。
【発明の効果】
【００１０】
請求項１に係る発明によれば、容器口部と接続キャップ部の間に、節度感を付与するクリック機構を設けたので、作業者は感覚的に節度感が得られるまで締め付けるだけで、適正な締め付け力に締付けることができ、締付け不足や締付け過ぎによる内容物の漏洩等の不具合を防止することができる。また、作業者に慎重な作業を強いることがなく、作業能率の軽減を図ることができる。
また、クリック機構のクリック位置とシール部の適正なシール位置を対応させたので、シールが確実となる。
【００１１】
さらに、クリック機構を、容器口部に設けられる凸部と、接続キャップ部のスカート部の下端部内周に設けられる係合部によって構成したので、既存の容器口部と接続具に凸部と係合部を設けるだけでよく、大幅な変更が不要である。
また、接続具が被接続部材としてのチューブを接続する場合、チューブを確実に接続することができ、チューブを通じて内容物を確実に輸送することができる。
【００１２】
請求項２に係る発明のように、係合部を接続キャップ部内周に設けた溝によって構成すれば、接続具と容器口部のねじ部に影響を与えることなく、クリック機構を構成することができる。
請求項３に係る発明のように、係合部を接続具の先端部に設けた切り欠きによって構成すれば、節度感で確認するだけでなく、目視で確認することも可能である。
請求項４に係る発明によれば、凸部を容器口部のねじ部下方に位置するフランジ部上面に設ければ、フランジ部上面付近までは気にするこなく締め付け、フランジ部上面付近でクリック機構の動作に注意するだけでよく、作業が容易である。
【００１３】
請求項５のように、凸部を容器口部の外周面に設ければ、請求項４のように接続キャップ部の長さをフランジ部まで伸ばす必要が無く、接続キャップ部が短くできる。
【００１４】
請求項６に記載の発明のように、不正開封防止用のバンドのバンド回転規制突起をクリック機構の凸部として利用すれば、既存の不正開封防止用の容器口部に対応することができる。
請求項７に記載の発明によれば、容器口部が、袋状の容器本体に対して溶着されるスパウトの場合、接続具の締め付けすぎによって容器を圧迫するおそれがあるが、クリック機構を設けることによって、このような締付けすぎによる不具合を防止することもできる。
【発明を実施するための最良の形態】
【００１５】
以下に本発明を図示の実施の形態に基づいて詳細に説明する。
実施の形態１
図１は本発明の実施の形態１に係る容器口部の接続具取付構造を示している。
すなわち、４０はスパウトで、流動食・経腸栄養剤・その他食品類が収納されるパウチ容器１０に熱溶着されて容器口部を構成する。スパウト４０は、未使用時には閉塞キャップ５０が螺着されて閉塞されており、使用時に、閉塞キャップ５０が開栓される。本発明は、この開栓されたスパウト４０に接続具としてのアダプタ３０が取付けられる構造で、アダプタ３０を介してチューブ２０が接続される。
【００１６】
アダプタ３０は、スパウト４０外周に螺合する接続キャップ部３６を有し、この接続キャップ部３６とスパウト４０の間に、所定の締付け位置でアダプタ３０の締付け操作に節度感を付与するクリック機構６０が設けられている。
【００１７】
まず、本発明の前提となるスパウト４０と閉塞キャップ５０について簡単に説明する。
スパウト４０は、図１（Ａ），（Ｄ），図２（Ｄ）〜（Ｆ）に示すように、容器本体１１を構成する重ね合わされたフィルムの間に溶着される固定部４３と、固定部４３から容器本体１１の外に向かって筒状に突出する筒状部４２とを備えている。固定部４３は、図２（Ｆ）に示すように、中央部が膨らみフィルムＦ面に沿って前後のエッジ部に向けて徐々に厚みが薄くなるように尖った舟形状で、その上端面から筒状部４２が延びている。
筒状部４２は、その軸方向中途部外周に雄ねじ４１が設けられ、この雄ねじ４１が設けられた部分をねじ部４４とすると、ねじ部４４を隔てて、上方の先端側筒部４５と、下方の固定部４３につながる基端側筒部４６とに区分することができる。基端側筒部４６には、固定部４３と所定間隔を隔ててフランジ部４７が張り出している。
閉塞キャップ５０は、図２（Ａ）〜（Ｃ）に示すように、筒状部４２の開口端を閉塞する天板部５１と、天板部５１の周縁から筒状部４２の外周を取り囲むように延びる円筒部５２とを備えたキャップ本体５３と、このキャップ本体５３の円筒部５２下端に接続される不正開封防止バンド５４（以下、ＴＥバンドと称す）とから構成されている。
【００１８】
ＴＥバンド５４は、閉塞キャップ５０が開操作されたか否かを判別するためのものであるが、閉塞キャップ５０を完全に開栓した際に、キャップ本体５３から切り離されてスパウト４０側に残るタイプではなく、キャップ本体５３と共にスパウト４０から除去されるタイプである。
この例では、ＴＥバンド５４には、Ｚ字形状に屈折した分割スリット５５が設けられ、キャップ開栓操作と共に開栓方向に移動する開栓旋回部５６と、開栓方向への移動が規制される開栓抑止部５７とに区画されている。開栓旋回部５６と開栓抑止部５７とは、開栓に際して破断可能な連結部５８により接続され、開栓旋回部５６は開栓方向への回転に際して破断しないワイドブリッジ５９により、キャップ本体５３の円筒部５２下端に連結されている。
【００１９】
ＴＥバンド５４の開栓抑止部５７の内面にはラチェット部５７ａが設けられ、このラチェット部５７ａが、スパウト４０に設けられたラチェット突起４８に対して開栓方向に係合して開栓抑止部５７の開栓方向への移動を規制するようになっている。
このスパウト４０に設けられたバンド係合用のラチェット突起４８は、スパウト４０の筒状部４２の基端側筒部４６に設けられている。図示例では円周方向４箇所に設けられている。ラチェット突起４８は、三角形状で、閉塞キャップ５０の装着方向下流側の端面４８ａが回転方向に対しては直交面となっており、上流側の斜面４８ｂが回転方向に直交する面に対して上流側に所定角度傾斜する傾斜面となっている。
【００２０】
ＴＥバンド５４のラチェット部５７ａは、閉塞キャップ５０を螺合する際に雄ねじ４１との干渉を避ける必要があるので、ＴＥバンド５４の内径はキャップ本体５３の円筒部５２の内径よりも大きく、スパウト４０に設けられるバンド係合用のラチェット突起４８の径方向の高さも、雄ねじ４１の山の高さよりも大きくなっている。言い換えれば、スパウト４０の中心線を中心としてＴＥバンド係合用のラチェット突起４８の頂部を通る円の径は、雄ねじ４１の最大径よりも大きく設定されている。
閉塞キャップ５０を開栓方向に旋回すると、ＴＥバンド５４とキャップ本体５３とをつないでいた連結部５８が破断して開栓抑止部５７のラチェット部５７ａとラチェット突起４８との係合状態が解除される。一方、ＴＥバンド５４の開栓旋回部５６とキャップ本体５３とはワイドブリッジ５９によって連結された状態となっているので、ＴＥバンド５４はキャップ本体５３と共にスパウト４０から取り外されることになる。
【００２１】
次に、閉塞キャップ５０を開栓した後の、スパウト４０に装着されるアダプタ３０について説明する。
アダプタ３０は、図１に示すように、スパウト４０外周に螺合する接続キャップ部３６と、この接続キャップ部３６の上端から上方に突出してチューブ２０が差し込まれる差し込み筒部３３とを備えた構成となっている。
接続キャップ部３６は、環状天面部３１と、環状天面部３１の外端部から下方に延びる円筒部３２と、円筒部３２の下端から下方に延びる大径のスカート部３５とを有するキャップ体で、円筒部３２の内周に、スパウト４０の外周に設けられた雄ねじ４１に螺合する雌ねじ３４が設けられている。
環状天面部３１は、スパウト４０の先端側筒部４５の上端の肉厚に対応する程度の幅で、差し込み筒部３３の下端開口径がほぼスパウト４０の開口径程度となるように設定されている。
【００２２】
スカート部３５は、スパウト４０に装着した際には、スパウト４０の基端側筒部４６の外周を覆うもので、スパウト４０の基端側筒部４６に設けられたＴＥバンド係合用のラチェット突起４８と干渉しないように、ラチェット突起４８の頂部を通る円の径よりも若干大径となっている。
また、アダプタ３０には、スパウト４０の開口端部をシールするシール部７０が設けられている。
シール部７０は、この実施の形態では、図１（Ｆ）に拡大して示すように、アダプタ３０の環状天面部３１の内面に設けられたコンタクトリング７１と、環状天面部３１の内径端からスパウト４０上端の内周に嵌合する内径インナーリングシール７２によって構成されている。コンタクトリング７１は、スパウト４０に対する締付け力によってスパウト４０の先端側筒部４５の上端面に圧接され、また、内径インナーリングシール７２はスパウト４０の先端側筒部４５内周に密に嵌合することによってシールするようになっている。
【００２３】
もっとも、シール部７０の機構としては公知の種々の構成を適用可能で、たとえば、図３（Ａ）に示すように、環状天面部にフラップシール７３を設けた１ピース天面フラップシールタイプでもよいし、図３（Ｂ）に示すように、中栓７４を介在させた、２ピースの中栓シールタイプとしてもよいし、図３（Ｃ）に示すように、環状天面部と先端側筒部４５の上端面間にパッキングシール７５を介在させた２ピースパッキングシールタイプとしてもよい。
【００２４】
次に、アダプタ３０を締め付ける際のクリック機構６０について説明する。
この実施の形態では、クリック機構６０は、スパウト４０側に設けられるクリック用凸部として凸リブ６１と、アダプタ３０に設けられ前記凸リブ６１に係合する係合部としての係合溝６２によって構成されている。
凸リブ６１はスパウト４０のフランジ部４７上面に設けられるもので、フランジ部４７の内径端縁から半径方向外方に向けて所定長さだけ直線状に延びた突条で、上方に向かって突出している。凸リブ６１の外端位置は、スカート部３５の下端部内径位置と外径位置の中途部に位置する。
この例では、凸リブ６１はフランジ部４７の周方向に複数、図示例では２箇所に設けられている。２箇所の凸リブ６１は、スパウト４０の中心に対して互いに１８０度反対方向に設けられている。
【００２５】
一方、アダプタ３０に設けられた係合溝６２は、アダプタ３０のスカート部３５の下端部内周に設けられるもので、凸リブ６１の外端部が係合するようになっている。すなわち、係合溝６２は、スカート部３５の内周からその肉厚の範囲で凹状に形成され、下端がスカート部３５の下端に開いた構成である。
この凸リブ６１に係合溝６２が係合して節度感を付与する位置は、アダプタ３０とスパウト４０間のシール部７０が適正なシール状態となる位置であり、凸リブ６１に係合溝６２が係合した位置で、アダプタ３０のスカート部３５下端はフランジ部４７上面との間に僅かに隙間があるように設定されている。係合溝６２も、１８０°離れた位置に周方向２箇所に設けられている。
【００２６】
本実施の形態のシール部７０では、内径インナーリングシール７２が付け根まで十分差し込まれ、環状天面部３１の内面がコンタクトリング７１を介してスパウト４０の先端側筒部４５上端に圧接されて適正なシール状態となる。
締め込みが不充分の場合には、コンタクトリング７１のシール面圧が不足し、内径インナーリングシール７２の先端側筒部４５内周への差し込み量も不充分となる。
逆に、締め込み過ぎると、アダプタ３０自体が変形してシール不良が発生したり、アダプタ４０のスカート部３５下端がフランジ部４７を押圧する結果となり、フランジ部４７が変形してパウチ容器１０の溶着部を圧迫する結果となる。
本実施の形態では、クリック機構６０の凸リブ６１と係合溝６２が係合するまで締め付けた状態で、シール部が適切なシール状態となるような寸法関係に、あらかじめ設定されている。
【００２７】
次に、本発明の実施の形態の作用について説明する。
使用前は、スパウト４０に閉塞キャップ５０が装着されている。この閉塞キャップ５０はＴＥバンド付きであり、開封されていない新品のものかどうかがチェックされる。
使用する際には、閉塞キャップ５０を回してスパウト４０から外す。この閉塞キャップ５０の回転操作によって、ＴＥバンド５４が破断され、しかもキャップ本体５３につながった状態でスパウト４０から離脱される。
【００２８】
次に、閉塞キャップ５０を取り外したスパウト４０に、チューブ２０を接続するためのアダプタ３０を装着する。アダプタ３０の装着は、アダプタ３０の円筒部３２内周の雌ねじ３４をスパウト４０の雄ねじ４１に螺合して締付ける。締付けを開始してアダプタ３０のスカート部３５の下端部がスパウト４０のフランジ部４７に接近すると（図１（Ｂ））、スカート部３５の下端部内周に設けられたクリック機構６０の係合溝６２が、徐々にスパウト４０のフランジ部４７に設けられた凸リブ６１に接近していき、シール部７０を構成する内径インナーリングシール７２が先端側筒部４５の内周に入り込み、コンタクトリング７１が先端側筒部４５上端に圧接された時点で、係合溝６２が凸リブ６１にはまり込む（図１（Ｃ）参照）。はまり込む手前では、凸リブ６１の先端がスカート部３５の下端部内周に食い込んでスカート部３５が押し広げられ、凸リブ６１が係合溝６２にはまり込んだ時点で弾性変形したスカート部３５の下端部が元の形状に弾性復帰してパチンとはまり込む。この動作によって作業者は締付け完了位置に達したことを感覚的に判断することができる。また、それ以上締めようとしても、既に締付け力が大きくなっているし、凸リブ６１が係合溝６２に引っ掛かって締め付けることが困難で、締付け力が過大となるおそれはない。
【００２９】
図４は、上記実施の形態１のクリック機構６０の変形例を示している。
この例では、係合溝６２の代わりに、スカート部３５の下端部に切り欠き１６２を設けたものである。切り欠き１６２は矩形状で、スカート部３５の先端部の内周から外周に開放していると共に、下方に向けても開放されている。
これに合わせて、図示例では、凸リブ１６１の外端位置をスカート部３５の外径より僅かに長く延長している。
このようにすれば、凸リブ１６１と切り欠き１６２の係合状態について、作業者は目視でも確認できるので、締付け作業をより確実に行うことができ、締付け不良の発生を防止することができる。
【００３０】
次に、本発明の実施の形態２について説明する。
図５は、本発明の実施の形態２に係る容器口部の接続具取付構造を示している。
以下の説明では、主として上記実施の形態１と異なる点についてのみ説明するものとし、同一の構成部分については、同一の符号を付して説明を省略する。
この実施の形態２では、クリック機構２６０の凸部としてスパウト４０のフランジ部４７に凸リブを設けるのではなく、スパウト４０に設けられたＴＥバンド回転規制用のラチェット突起４８を利用したものである。
すなわち、アダプタ３０は、実施の形態１と同様に、スパウト４０外周に螺合する接続キャップ部３６と、この接続キャップ部３６の上端から上方に突出してチューブ２０が差し込まれる差し込み筒部３３とを備えた構成で、接続キャップ部３６は、環状天面部３１と、環状天面部３１の外端部から下方に延びる円筒部３２と、円筒部３２の下端から下方に延びる大径のスカート部２３５とを有するキャップ体構成であるが、スカート部２３５の構成が上記実施の形態１と相違している。
【００３１】
スカート部２３５は、スパウト４０に装着した際には、スパウト４０の基端側筒部４６の外周を覆うものであるが、その下端位置がフランジ部４７までではなく、ＴＥバンド係合用のラチェット突起４８の下端位置までと短く設定されている。
そして、スカート部２３５には、ＴＥバンド回転規制用のラチェット突起４８に係合する係合部として、ラチェット突起４８に係合離脱可能な弾性係止片２６２が設けられている。
【００３２】
弾性係止片２６２は、ラチェット突起４８に係合する爪部２６３と、この爪部２６３を支持する弾性片２６４とを備えた構成で、周方向２箇所に設けられている。弾性片２６４は、スカート部２３５の周方向に所定長さ延びており、一端に爪部２６３が設けられ他端がスカート部２３５に結合されている。爪部２６３の位置は、アダプタ３０の装着方向（締付け方向）下流側に位置している。爪部２６３は径方向に所定の厚みを有し、内端部の嵌合突起２６３ａがスカート部２３５の内周よりも内方に突出し、外端部もスカート部２３５の外周よりも外方に突出している。
この例では、弾性片２６４は、スカート部２３５の下端部を所定幅でもって所定長さだけ周方向に切り欠いた構成となっている。
【００３３】
本実施の形態２にあっては、締付け作業終了直前位置になると、爪部２６３がラチェット突起４８の斜面４８ｂに差し掛かり、斜面４８ｂに沿って徐々に外方に押し広げられながらラチェット突起４８の頂部を乗り越え、弾性片２６４の弾性力によってラチェット突起４８の端面４８ａ側に、カチッと音を立てて落ち込んでロックされる（図５（Ｃ），（Ｄ）参照）。
このときの弾性係止片２６２の挙動が、作業者に音や締付け力の変化として感覚的に伝わり、締付け完了位置と判断される。
ロック解除時は、爪部２６３を押して拡げ、ラチェット突起４８を乗り越えさせることにより逆回転可能となる（図５（Ｅ）参照）。
【００３４】
なお、上記実施例では、ＴＥバンドがキャップと共に外れてスパウトに残らない閉塞キャップが装着されるスパウトへのアダプタの取付構造を例にとって説明したが、本発明は、ＴＥバンドがスパウトに残るタイプの閉塞キャップが装着されるスパウトへのアダプタの取付構造にも適用可能であるし、ＴＥバンドの無い閉塞キャップが装着されるスパウトへのアダプタの取付構造についても適用可能である。
また、容器口部としてパウチ容器に固定されるスパウトを例にとって説明したが、パウチ容器に限定されるものではなく、容器本体と一体的に成形される容器口部へのアダプタの取付構造にも広く適用することができる。
【図面の簡単な説明】
【００３５】
【図１】図１は本発明の実施の形態１に係る容器口部の接続具取付構造を示すもので、図１（Ａ）はアダプタが装着された状態のスパウトの半縦断面正面図、同図（Ｂ）はアダプタ装着途中の同図（Ａ）のＸ−Ｘ線断面図、同図（Ｃ）はアダプタ装着完了状態の同図（Ａ）のＸ−Ｘ線断面図、同図（Ｄ）は同図（Ａ）のスパウトの正面図、同図（Ｅ）は同図（Ｄ）のＥ−Ｅ線断面図で、同図（Ｆ）は同図（Ａ）のシール部の部分拡大断面図、同図（Ｇ）は同図（Ａ）のクリック機構の部分拡大断面図である。
【図２】図２（Ａ）は図１の容器のスパウトに閉塞キャップが装着された状態を示す半縦断面正面図、同図（Ｂ）は同図（Ａ）の閉塞キャップの正面図、同図（Ｃ）は同図（Ｂ）の底面図、同図（Ｄ）は図１（Ｄ）の縦断面図、図（Ｅ）は図１（Ｄ）のＹ−Ｙ線断面図、同図（Ｆ）は図１（Ｄ）のスパウトの底面図である。
【図３】図３（Ａ），（Ｂ），（Ｃ）は図１（Ａ）のスパウトとアダプタ間のシール部の各種構成例を示す図である。
【図４】図４は図１の容器接続具取付構造のクリック機構の変形例を示すもので、同図（Ａ）はアダプタが装着された状態のスパウトの半縦断面正面図、同図（Ｂ）は同図（Ａ）のアダプタの正面図、同図（Ｃ）はアダプタ装着途中の同図（Ａ）のＸ−Ｘ線断面図、同図（Ｄ）はアダプタ装着完了状態の同図（Ａ）のＸ−Ｘ線断面図である。
【図５】図５は本発明の実施の形態２に係る容器口部の接続具取付構造を示すもので、同図（Ａ）はアダプタが装着された状態のスパウトの半縦断面正面図、同図（Ｂ）は同図（Ａ）のアダプタの正面図、同図（Ｃ）はアダプタ装着途中の同図（Ａ）のＺ−Ｚ線断面図、同図（Ｄ）はアダプタ装着完了状態の同図（Ａ）のＺ−Ｚ線断面図、同図（Ｅ）はアダプタのロック解除状態の同図（Ａ）のＺ−Ｚ線断面図である。
【符号の説明】
【００３６】
１０  パウチ容器
１１  容器本体
２０  チューブ
３０  アダプタ
３１  環状天面部、３２  円筒部、３３差し込み筒部、３４  雌ねじ
３５  スカート部
３６  接続キャップ部
２３５  スカート部
４０  スパウト（容器口部）
４１  雄ねじ、４３  固定部、４２  筒状部、４４  ねじ部
４５  先端側筒部  ４６  基端側筒部、４７  フランジ部
４８  ラチェット突起、４８ａ  端面、４８ｂ  斜面
５０  閉塞キャップ
５１  天板部、５２  円筒部、５３  キャップ本体、５４  ＴＥバンド
５５  分割スリット、５６  開栓旋回部、５７  開栓抑止部、  ５７ａラチェット部
５８  連結部、５９  ワイドブリッジ
６０  クリック機構
６１  凸リブ（凸部）、６２  係合溝（溝）
１６２  切り欠き
７０  シール部
７１  コンタクトリング、７２  内径インナーリングシール
７３  フラップシール、７４  中栓、７５  パッキングシール
２６０  クリック機構
２６２  弾性係止片、２６３  爪部、２６３ａ嵌合突起
２６４  弾性片
【図１】
0005332144.tif 000002
【図２】
0005332144.tif 000003
【図３】
0005332144.tif 000004
【図４】
0005332144.tif 000005
【図５】
0005332144.tif 000006